(57)【要約】      （修正有）【課題】瞬間的なファンの過負荷状況で不要なファントリップの発生を防止して、インバータの信頼性を向上させるインバータ制御方法を提供する。【解決手段】インバータ制御方法は、ファン電流を受信し、ファン電流がハイトリップレベルを超えるか又はロートリップレベル未満である場合、エラーカウントを増加させ、エラーカウントがエラーカウント最大値に到達する場合、トリップカウントを増加させ、エラーカウントを初期化して、トリップカウントがトリップカウント最大値に到達する場合、ファントリップ信号を発生する。【選択図】図５
2019198212.tif 000002
【特許請求の範囲】
【請求項１】
ファン電流を受信するステップ；
前記ファン電流がハイトリップレベルを超えるか、又はロートリップレベル未満である場合、エラーカウントを増加させるステップ；
前記エラーカウントがエラーカウント最大値に到達する場合、トリップカウントを増加させてエラーカウントを初期化するステップ；及び、
前記トリップカウントがトリップカウント最大値に到達する場合、ファントリップ信号を発生するステップを含むインバータ制御方法。
【請求項２】
前記エラーカウントを増加させるステップにおいて、
前記エラーカウントは増加させながら、ノンエラーカウントは維持させる、請求項１に記載のインバータ制御方法。
【請求項３】
前記ファン電流が前記ロートリップレベルと前記ハイトリップレベルの間である場合、ノンエラーカウントを増加させるステップ；及び、
前記ノンエラーカウントがノンエラーカウント最大値に到達する場合、前記トリップカウントを初期化するステップをさらに含む、請求項１に記載のインバータ制御方法。
【請求項４】
前記ノンエラーカウントを増加させるステップは、
前記ノンエラーカウントは増加させながら、前記エラーカウントは維持させる、請求項３に記載のインバータ制御方法。
【請求項５】
前記トリップカウントを初期化するステップにおいて、
前記エラーカウント及び前記ノンエラーカウントを共に初期化する、請求項３に記載のインバータ制御方法。
【請求項６】
インバータ１００の温度情報を受信するステップ；
前記インバータの温度が第１の温度以上である場合、トリップカウントを増加させるステップ；及び、
前記トリップカウントが第１の最大値を超える場合、ファントリップ信号を発生するステップをさらに含む、請求項１に記載のインバータ制御方法。
【請求項７】
前記インバータ１００の温度が前記第１の温度以下であり、前記第１の温度より低い第２の温度以上である場合、前記トリップカウントを増加させるステップ；及び、
前記トリップカウントが前記第１の最大値より大きい第２の最大値を超える場合、ファントリップ信号を発生するステップをさらに含む、請求項６に記載のインバータ制御方法。
【発明の詳細な説明】
【技術分野】
【０００１】
本発明は、インバータ制御方法に関する。
【背景技術】
【０００２】
通常、インバータは、電気的に直流（ＤＣ）を交流（ＡＣ）に変換する逆変換装置である。産業界で使用されるインバータは、商用電源から供給された電力を入力されて自ら電圧と周波数を可変して電動機に供給することで、電動機速度を高効率に利用するように制御する一連の装置と定義される。このようなインバータは、ファン、ポンプ、エレベーター、移送装置、生産ライン等、産業全般にわたって様々な形態に用いられている。
【０００３】
インバータには、絶縁ゲート両極性トランジスタ（ｉｎｓｕｌａｔｅｄ  ｇａｔｅ  ｂｉｐｏｌａｒ  ｍｏｄｅ  ｔｒａｎｓｉｓｔｏｒ，ＩＧＢＴ）、金属酸化膜半導体電界効果トランジスタ（ｍｅｔａｌ  ｏｘｉｄｅ  ｓｅｍｉ−ｃｏｎｄｕｃｔｏｒ  ｆｉｅｌｄ  ｅｆｆｅｃｔ  ｔｒａｎｓｉｓｔｏｒ，ＭＯＳＦＥＴ）のような高周波スイッチング素子、大容量キャパシタ（ｃａｐａｃｉｔｏｒ）等、発熱性部品が用いられる。インバータの寿命を確保して信頼性を提供するためには、発熱性部品を冷却するためのファン（ｆａｎ）のような冷却装置の構成が必須である。
【０００４】
このような冷却装置に問題が発生する場合、インバータ制御部では、冷却装置の故障を検出して、トリップが発生する場合、インバータのパルス幅変調（ｐｕｌｓｅ  ｗｉｄｔｈ  ｍｏｄｕｌａｔｉｏｎ，ＰＷＭ）出力を遮断して、インバータ動作を停止させる。しかし、不適切な状況で冷却装置の故障検出によってインバータの動作が停止することで、インバータシステムの信頼性が低下する問題点がある。
【発明の概要】
【発明が解決しようとする課題】
【０００５】
本発明が解決しようとする技術的課題は、瞬間的なファンの過負荷状況で不要なファントリップの発生を防止して、インバータの信頼性を向上させるインバータ制御方法を提供することである。
【課題を解決しようとする手段】
【０００６】
上記のような技術的課題を解決するために、本発明の一実施形態のインバータ制御方法は、ファン電流を受信するステップ；前記ファン電流がハイトリップレベルを超えるか、又はロートリップレベル未満である場合、エラーカウントを増加させるステップ；前記エラーカウントがエラーカウント最大値に到達する場合、トリップカウントを増加させてエラーカウントを初期化するステップ；及び前記トリップカウントがトリップカウント最大値に到達する場合、ファントリップ信号を発生するステップを含んでいてもよい。
【０００７】
前記エラーカウントを増加させるステップにおいて、前記エラーカウントを増加させながらノンエラーカウントを維持することができる。
【０００８】
本発明の一実施形態の方法は、前記ファン電流が前記ロートリップレベルと前記ハイトリップレベルの間である場合、ノンエラーカウントを増加させるステップ；及び前記ノンエラーカウントがノンエラーカウント最大値に到達する場合、前記トリップカウントを初期化するステップをさらに含んでいてもよい。
【０００９】
前記ノンエラーカウントを増加させるステップにおいて、前記ノンエラーカウントを増加させながら前記エラーカウントを維持することができる。
【００１０】
前記トリップカウントを初期化するステップにおいて、前記エラーカウント及び前記ノンエラーカウントを共に初期化することができる。また、上記のような技術的課題を解決するために、本発明の一実施形態のインバータ制御方法は、インバータの温度情報を受信するステップ；前記インバータの温度が第１の温度以上である場合、トリップカウントを増加させるステップ；及び前記トリップカウントが第１の最大値を超える場合、ファントリップ信号を発生するステップをさらに含んでいてもよい。
【００１１】
本発明の一実施形態のインバータ制御方法は、前記インバータの温度が前記第１の温度以下であり、前記第１の温度より低い第２の温度以上である場合、前記トリップカウントを増加させるステップ；及び前記トリップカウントが前記第１の最大値より大きい第２の最大値を超える場合、ファントリップ信号を発生するステップをさらに含んでいてもよい。
【発明の効果】
【００１２】
上記のような本発明は、ファン電流が駆動初期に正常範囲を脱するが、一定時間後、正常範囲内で動作する場合にも、性急にファントリップ信号を発生しないため、インバータの信頼性を向上させる効果がある。
【００１３】
また、ファン電流のみならず、インバータの温度情報も共に考慮してトリップ信号を発生することで、インバータの信頼性も向上させることができ、顧客満足度を向上する効果がある。
【図面の簡単な説明】
【００１４】
【図１】従来のインバータシステムの構成図である。
【図２】図１のような従来のインバータシステムにおいて制御部の動作を説明するためのフロー図である。
【図３】ファン電流及びファントリップ信号の発生を説明するための例示図である。
【図４】本発明の一実施形態の方法が適用されるインバータシステムの構成図である。
【図５】本発明のインバータシステムにおいて制御部の一実施形態の動作を説明するためのフロー図である。
【図６】図５による制御部の動作を説明するための一例示図である。
【図７】図５による制御部の動作を説明するための一例示図である。
【図８】本発明のインバータシステムにおいて制御部の他の実施形態の動作を説明するためのフロー図である。
【発明を実施するための形態】
【００１５】
本発明の構成及び効果を十分に理解するため、添付の図面を参照して本発明の好ましい実施形態を説明する。しかし、本発明は、以下に開示する実施形態に限定されるものではなく、様々な形態に具現することができ、多様な変更を加えることができる。但し、本実施形態に対する説明は、本発明の開示を完全にして、本発明が属する技術分野で通常の知識を有する者に発明の範疇を完全に知らせるために提供されるものである。添付の図面における構成要素は、説明の便宜のためその大きさを実際より拡大して示したものであり、各構成要素の割合は、誇張するか縮小してもよい。
【００１６】
本発明の実施形態において使われる用語は、別に定義されない限り、該技術分野で通常の知識を有する者に通常知られた意味に解釈されてもよい。
【００１７】
以下では、図１〜図３を参照して、従来のインバータ制御方法を説明して、図４〜図８を参照して、本発明の一実施形態のインバータ制御方法を説明する。
【００１８】
図１は、従来のインバータシステムの構成図である。
【００１９】
電源部２００を介して交流電源が投入されると、インバータ１００の整流部１１０がこれを直流に整流して、これによって直流リンクキャパシタ１２０に直流リンク電圧が充電される。制御部４００は、パルス幅変調（ｐｕｌｓｅ  ｗｉｄｔｈ  ｍｏｄｕｌａｔｉｏｎ，ＰＭＷ）信号をインバータ部１４０に提供して、インバータ部１４０は、ＰＷＭ信号によって直流リンク電圧を交流電圧に変換して電動機３００に出力する。
【００２０】
直流リンク電圧によってスイッチモード電源供給装置（ｓｗｉｔｃｈｅｄ  ｍｏｄｅ  ｐｏｗｅｒ  ｓｕｐｐｌｙ，ＳＭＰＳ）１３０が動作を開始し、ＳＭＰＳ１３０から冷却装置を動作するためのファン電圧（Ｖ_ＦＡＮ）が冷却装置５００に提供される。冷却装置５００のファン５１０は、ファン電圧（Ｖ_ＦＡＮ）を入力されて動作を開始し、ファン制御部５２０は、ファン電流（Ｉ_ＦＡＮ）を検出して制御部４００に伝達する。制御部４００は、ファン５１０の故障状況が発生する場合、ファントリップ信号（ＦＡＮ_Ｔｒｉｐ）を出力して、インバータ１００の動作を停止することになる。
【００２１】
図２は、図１のような従来のインバータシステムにおいて制御部の動作を説明するためのフロー図であり、図３は、ファン電流及びファントリップ信号の発生を説明するための例示図である。
【００２２】
設定によって、ファン電流が一定レベル以上に持続する場合、トリップになるレベルを「ハイトリップレベル」として、ファン電流が一定レベル以下に持続する場合、トリップになるレベルを「ロートリップレベル」とする。これは、図３に示している。
【００２３】
図２を参照すれば、制御部４００は、ファン制御部５２０によって検出されるファン電流を受信して（Ｓ２１）、ファン電流がハイトリップレベルを超えるか、又はロートリップレベル未満である場合（Ｓ２２）、エラーカウントを増加させる（Ｓ２３）。
【００２４】
その後、エラーカウントが最大値と大きいか同様となる場合（Ｓ２４）、制御部４００は、ファントリップ信号を発生する（Ｓ２５）。ファントリップ信号が発生すると、インバータ部１４０に提供されるＰＷＭ信号が遮断されるため、これによってインバータ１００の動作が停止する。
【００２５】
このように、ファントリップ信号が発生することは、インバータ１００が過熱することを防ぐためであり、インバータ１００の電源が遮断されることではなく、これによって電動機３００の動作が中止する。
【００２６】
しかし、上記のような従来のファン制御方法は、ファン電流のみを用いてトリップを決定するため、インバータ１００が低温で長期間放置された後に初期動作する場合、ファン５１０が正常動作しても、ファン５１０のブレードの摩擦力増加によって間歇的にファン電流が上昇して、ファントリップが発生し得る問題点がある。又は、瞬間的に粉塵物等がファン５１０に流入して、ファン電流が急激に上昇する場合、インバータ１００の自体温度が上昇しなくてもファントリップが発生し得る問題点がある。
【００２７】
このように、インバータ１００自体の温度上昇ではない理由によってファントリップが発生すると、インバータ１００の動作が停止して、電動機３００の動作が中止するため、使用者が行っていた作業が強制に停止し、時間的かつ経済的打撃が生じる問題点があり、これにより製品の信頼性が低くなる問題点がある。
【００２８】
従って、インバータ１００に故障が発生して、インバータ１００の温度が上昇し過ぎた場合に限ってトリップを発生する必要がある。
【００２９】
本発明は、このような問題点を解決するためのものであって、瞬間的なファンの過負荷状況で不要なファントリップの発生を防止して、インバータの信頼性を向上させるインバータ冷却装置制御方法を提供することである。
【００３０】
図４は、本発明の一実施形態の方法が適用されるインバータシステムの構成図である。
【００３１】
図４に示したように、本発明が適用されるシステムは、電源部２から印加された交流電圧を所定の大きさ及び周波数に変換して電動機３に提供するインバータ１と、インバータ１にパルス幅変調（ＰＷＭ）信号及びトリップ信号を提供する制御部４、及びインバータ１の温度を冷却するための冷却装置５を含んでいてもよい。
【００３２】
インバータ１は、電源部２から入力される交流電圧を整流して直流電圧に変換する整流部１１、整流部１１が整流した直流電圧を貯蔵する直流リンクキャパシタ１２、直流リンクキャパシタ１２に貯蔵された直流電圧を冷却装置５に電源で提供する電源提供部１３、絶縁ゲート両極性トランジスタ（ｉｎｓｕｌａｔｅｄ  ｇａｔｅ  ｂｉｐｏｌａｒ  ｍｏｄｅ  ｔｒａｎｓｉｓｔｏｒ，ＩＧＢＴ）のような半導体スイッチング素子で構成されて、制御部４のＰＷＭ信号によって直流リンク電圧を変換して交流電圧を出力するインバータ部１４、インバータ部１４の温度を検出する温度検出部１５を含んでいてもよい。
【００３３】
電源提供部１３は、スイッチモード電源供給装置（ＳＭＰＳ）であってもよいが、これに限定されるものではなく、直流リンクキャパシタ１２に充電される直流リンク電圧を他の構成要素への電源で提供する様々な形態の電源供給装置が用いられる。
【００３４】
インバータ１で発熱が最も多く発生する素子がインバータ部１４のスイッチング素子であるため、温度検出部１５がインバータ部１４の内部に配置されると示しているが、これに限定されるものではなく、インバータ１の内部温度を好適に測定できる多様な位置に温度検出部１５が配置されてもよい。温度検出部１５は、例えば、ＮＣＴ温度センサーであってもよく、温度検出部１５によって検出されたインバータ１の内部の温度情報ＮＴＣが制御部４に伝達されてもよい。
【００３５】
冷却装置５は、ファン５１とファン制御部５２を含んでいてもよい。但し、本発明の一実施形態において、冷却装置５の一例としてファン５１を用いることを説明しているが、これに限定されるものではなく、様々な形態の冷却装置が用いられることを排除することではない。
【００３６】
直流リンクキャパシタ１２に直流リンク電圧が充電されると、これによって電源提供部１３が動作を開始することができる。電源提供部１３は、冷却装置５を動作するためのファン電圧（Ｖ_ＦＡＮ）を冷却装置５のファン制御部５２に提供して、ファン５１は、ファン制御部５２からファン電圧（Ｖ_ＦＡＮ）を供給されて動作を開始することができる。ファン制御部２は、ファン５１のファン電流（Ｉ_ＦＡＮ）を検出して、これを制御部４に提供することができる。
【００３７】
制御部４は、ファン制御部５２から受信したファン電流（Ｉ_ＦＡＮ）及び／又は温度検出部（インバータ内部の温度情報（ＮＣＴ）に基づいて、ファンがファントリップを発生させることができる。図５は、本発明のインバータシステムにおいて制御部の一実施形態の動作を説明するためのフロー図であって、ファン電流に基づいてファントリップを決定する動作を示したものである。図６及び図７は、図５による制御部の動作を説明するための一例示図であって、図６は、トリップが発生しない場合を、図７は、トリップが発生する場合を示した。
【００３８】
また、図８は、本発明のインバータシステムにおいて制御部の他の実施形態の動作を説明するためのフロー図であって、インバータの温度情報に基づいてファントリップを決定する動作を示したものである。
【００３９】
本発明の一実施形態では、ファン電流に基づいて１次にファントリップを制御部が決定して、また、温度情報に基づいて２次にファントリップを決定することができる。又は、制御部４は、ファン電流のみを用いてファントリップを決定することもでき、又は、温度情報のみを利用してファントリップを決定することもできる。
【００４０】
図５を参照すれば、本発明の一実施形態において、制御部４は、ファン制御部５２からファン電流を受信することができる（Ｓ５１）。制御部４は、ファン電流がハイトリップレベルを超えるか、又はロートリップレベル未満である場合（Ｓ５２）、エラーカウント（ＥＲＲＯＲ  ＣＯＵＮＴ）を増加させて、ノンエラーカウント（ＮＯＮＥ  ＥＲＲＯＲ  ＣＯＵＮＴ）は、維持してもよい（Ｓ５３）。
【００４１】
エラーカウントの増加は、エラーカウント最大値（ＭＡＸ）に到達するまで持続して、エラーカウント最大値（ＭＡＸ）に到達したた場合（Ｓ５４）、トリップカウントを増加させて、エラーカウントは初期化することができる（Ｓ５５）。このような動作は、トリップカウントが最大値になるまで持続するが、トリップカウントがトリップカウント最大値（ＭＡＸ）に到達すると（Ｓ５６）、制御部４は、ファントリップ信号を発生してインバータの動作を停止させることができる。
【００４２】
一方、制御部４は、ファン電流がロートリップレベルとハイトリップレベルの間の正常範囲である場合には、ノンエラーカウントを増加させて、エラーカウントは維持してもよい（Ｓ５８）。このような動作は、ノンエラーカウントが最大値（ＭＡＸ）に到達するまで持続して、ノンエラーカウントが最大値（ＭＡＸ）になると（Ｓ５９）、トリップカウントとエラーカウント及びノンエラーカウントを初期化することができる（Ｓ６０）。このように、ノンエラーカウントが最大値（ＭＡＸ）である場合、トリップカウント、エラーカウント及びノンエラーカウントを初期化することは、制御部４がファンが正常であると確認し、その後、さらにファン電流によってトリップが発生しないと判断したためである。これを図６及び図７を用いて説明すれば、次のとおりである。図６は、トリップが発生しない場合を、図７は、トリップが発生する場合を例に挙げて示した。
【００４３】
図６を参照すれば、ファン電流がハイトリップレベルとロートリップレベルを往復してから正常区間に突入することが分かる。このような場合、従来には、エラーカウントによってエラーカウントが最大値に到達すると、直ぐにトリップが発生した。
【００４４】
本発明の一実施形態によれば、ファン電流がハイトリップレベルより大きくなると、エラーカウントは、持続して増加し（６Ａ）、ノンエラーカウントは、一定に維持される（６Ｂ）。その後、ファン電流が正常範囲（ロートリップレベルより大きくて、トリップレベルより小さい範囲）に進入すると、エラーカウントは維持されて（６Ｃ）、ノンエラーカウントが増加する（６Ｄ）。その後、さらにファン電流が正常範囲を脱する場合、エラーカウントが増加してからエラーカウント最大値（ＭＡＸ）に到達すると、トリップカウントを増加させて（６Ｅ）、エラーカウントを初期化することができる。
【００４５】
かかる過程を繰り返して、ファン電流が正常範囲で安定して出力されると（６Ｆ）、ノンエラーカウントが持続して増加し（６Ｇ）、ノンエラーカウントが最大値（ＭＡＸ）に到達すると、トリップカウントが初期化されて、エラーカウント及びノンエラーカウントも初期化される（６Ｈ）。このように、ノンエラーカウントが最大値（ＭＡＸ）に到達した場合、トリップカウント、エラーカウント及びノンエラーカウントを初期化することは、制御部４がファンが正常であると確認したためであることは、既に説明したとおりである。
【００４６】
このように、本発明の一実施形態によれば、ファン電流が駆動初期に正常範囲を脱するが、一定時間後、正常範囲内で動作する場合も、性急にファントリップ信号を発生しないため、インバータの信頼性を向上させることができる。図７を参照すれば、図６の場合と異なって、ファン電流が持続して正常範囲と以上範囲を往復して正常区間に突入しなくなる場合を示した。
【００４７】
本発明の一実施形態によれば、ファン電流がハイトリップレベルより大きくなると、エラーカウントは、持続して増加して、ノンエラーカウントは、一定に維持される。その後、ファン電流が正常範囲（ロートリップレベルより大きくて、トリップレベルより小さい範囲）に進入すると、エラーカウントは維持されて、ノンエラーカウントが増加する。その後、さらにファン電流が正常範囲を脱する場合、エラーカウントが増加してからエラーカウント最大値（ＭＡＸ）に到達すると、トリップカウントを増加させて、エラーカウントを初期化できることは、上記図６を参照して説明したと同様である。
【００４８】
図７では、エラーカウントが最大値（ＭＡＸ）に３回到逹しながらトリップカウントが３回増加する場合、トリップカウント最大値（ＭＡＸ）に到逹して、これによってトリップが発生し得る（７Ａ）。本発明の一実施形態では、トリップが発生する場合も、エラーカウントとノンエラーカウントがファン電流によってカウントを維持又は増加することを例に挙げて説明しているが、トリップが発生する場合には、エラーカウントとノンエラーカウントがいずれも初期化されてもよい。
【００４９】
本発明の一実施形態では、エラーカウントが最大値（ＭＡＸ）に３回到逹する場合、トリップが発生（すなわち、トリップカウント最大値（ＭＡＸ）が３）することを例に挙げて説明しているが、これに限定されるものではなく、システムの敏感度によってトリップカウントＭＡＸが設定されてもよい。一方、本発明の一実施形態によれば、ファン電流のみならず、インバータの温度情報を利用してファントリップを決定することもできる。すなわち、１次にファン電流を用いてファントリップを決定して、２次にインバータの温度情報を利用してファントリップを決定することもできる。又は、ファン電流と温度情報のいずれかのみを用いてファントリップを決定することもできる。図８は、インバータの温度情報を利用してファントリップを決定することを説明するためのものである。
【００５０】
図８を参照すれば、制御部４は、温度検出部１５からインバータ１の温度情報を受信することができる（Ｓ８１）。これによって、温度が設定された第１の温度を越えない場合には（Ｓ８２）、インバータ１に電源が印加されて一定時間が経過したかを確認することができる（Ｓ８３）。仮にインバータ１に電源が印加されて一定時間が経過していない場合には、インバータ駆動過渡期と判断して、一定時間が経過した場合に限ってファントリップを決定するためである。このとき、一定時間は、例えば、１８０秒であってもよいが、これに限定されるものではなく、インバータ１が電源印加後、過渡期がどれくらい持続するかによって変更されてもよい。また、設定された第１の温度は、例えば、１０℃であってもよい。但し、これは、例示的なものであって、これに限定されるものではなく、多様に設定することができる。
【００５１】
仮に、Ｓ８２においてインバータ１の温度が第１の温度を越えるか、又は、第１の温度を越えない場合にも、インバータ１に電源が印加された後、一定時間が経過した場合には、インバータ１の温度が第２の温度以上であるか否かを確認することができる（Ｓ８４）。このとき、第２の温度は、例えば、４０℃であってもよいが、本発明がこれに制限されるものではなく、インバータ１が用いられる環境によって多様に設定することができる。
【００５２】
このように、インバータ１の温度が第２の温度以上である場合、制御部４は、トリップカウントを増加させることができ（Ｓ８５）、トリップカウントが第１の最大値（ＭＡＸ１）を超える場合（Ｓ８６）、ファントリップ信号を発生し得る（Ｓ８７）。
【００５３】
または、インバータ１の温度が第２の温度以下である場合、制御部４は、このときもトリップカウントを増加させることができる（Ｓ８８）。また、トリップカウントが第２の最大値（ＭＡＸ）を超える場合（Ｓ８９）、ファントリップ信号を発生し得る（Ｓ８９）。
【００５４】
本発明の一実施形態において、例えば、トリップカウント第１の最大値（ＭＡＸ１）は３であり、トリップカウント第２の最大値（ＭＡＸ２）は、１０であってもよい。すなわち、インバータ１の温度が第２の温度（４０℃）以上である場合には、トリップカウント最大値（ＭＡＸ）を小さい数に設定するが、これは、インバータ１の温度が第２の温度以上である場合には、インバータ１製品に大きいリスクを与えられる環境であることを表すことである。一方、インバータ１の温度が第２の温度（４０℃）以下である場合には、温度が第２の温度（４０℃）以上である場合とは異なる最大値（ＭＡＸ）が設定され、これは、インバータ１製品に大きいリスクを与える環境ではないため、この場合、不要なトリップを防止するためである。
【００５５】
このように、本発明の一実施形態によれば、ファン電流のみならず、インバータの温度情報も共に考慮してトリップ信号を発生することで、インバータの信頼性を向上させることができる。
【００５６】
以上では、本発明による実施形態を説明したが、これは、例示的なものに過ぎず、該分野で通常の知識を有する者であれば、これより多様な変形及び均等な範囲の実施形態が可能である点を理解することができる。従って、本発明の真の技術的な保護範囲は、次の請求範囲によって定めるべきである。
【図１】
2019198212.tif 000003
【図２】
2019198212.tif 000004
【図３】
2019198212.tif 000005
【図４】
2019198212.tif 000006
【図５】
2019198212.tif 000007
【図６】
2019198212.tif 000008
【図７】
2019198212.tif 000009
【図８】
2019198212.tif 000010